(57)【特許請求の範囲】
【請求項１】
所定の決済を行うＰＯＳ端末から、正規にコンテンツが記録された媒体の個体識別に用いられる個体識別情報と、前記媒体の商品識別に用いられる商品識別情報と、利用者を識別する利用者識別情報とを取得する取得手段と、
前記取得手段が取得した個体識別情報を過去に取得したか否かを判別する判別手段と、
前記取得手段が取得した個体識別情報を過去に取得していないと判別した場合に、前記個体識別情報と前記商品識別情報との組ごとに一意な認証情報を生成する生成手段と、
前記生成手段が生成した認証情報を前記ＰＯＳ端末に送信する送信手段と、
前記生成手段が生成した認証情報を前記利用者識別情報と対応付けて所定の記憶部に格納する格納手段と、
端末装置から前記送信手段が前記ＰＯＳ端末に送信した前記認証情報と前記利用者識別情報とを受信した場合には、前記所定の記憶部に当該受信した認証情報と当該受信した利用者識別情報とが対応付けて記憶されているか否かを判定し、対応付けて記憶されていると判定した場合には、当該認証情報に対応する商品識別情報により識別されるコンテンツを前記端末装置に配信する配信手段と
を有することを特徴とする情報配信装置。
【請求項２】
前記取得手段は、前記コンテンツが記憶された媒体固有のアナログ情報を用いて生成された証明情報をさらに取得し、
前記判別手段は、前記取得手段が取得した個体識別情報と証明情報との組み合わせを過去に取得したか否かを判別することを特徴とする請求項１に記載の情報配信装置。 
【請求項３】
前記配信手段による配信履歴に係る情報を、前記端末装置に広告情報を配信する広告装置に対して提供する提供手段をさらに有することを特徴とする請求項１、または２に記載の情報配信装置。 
【請求項４】
前記判別手段は、前記取得手段が取得した個体識別情報に基づいて、正規に販売されたコンテンツであるか否かをさらに判別することを特徴とする請求項１〜３のいずれか１つに記載の情報配信装置。 
【請求項５】
利用者端末装置と、ＰＯＳ端末と、情報配信装置とを有する情報配信システムであって、
前記利用者端末は、
正規にコンテンツが記録された媒体の商品識別に用いられる商品識別情報と、利用者を識別する利用者識別情報とを受け付けて、前記商品識別情報および利用者識別情報を含む画像を出力する出力手段を有し、
前記ＰＯＳ端末は、
前記利用者端末の出力手段が出力した画像と、前記媒体の個体識別に用いられる個体識別情報とを受け付け、前記画像に含まれる商品識別情報および利用者識別情報と、前記個体識別情報とを前記情報配信装置に送信する送信手段と、
所定の決済処理を実行する決済処理手段とを有し、
前記情報配信装置は、
前記ＰＯＳ端末から前記個体識別情報と、前記商品識別情報と、前記利用者識別情報とを取得する取得手段と、
前記取得手段が取得した個体識別情報を過去に取得したか否かを判別する判別手段と、
前記取得手段が取得した個体識別情報を過去に取得していないと判別した場合に、前記個体識別情報と前記商品識別情報との組ごとに一意な認証情報を生成する生成手段と、
前記生成手段が生成した認証情報を前記ＰＯＳ端末に送信する送信手段と、
前記生成手段が生成した認証情報を前記利用者識別情報と対応付けて所定の記憶部に格納する格納手段と、
前記利用者端末から前記送信手段が前記ＰＯＳ端末に送信した前記認証情報と前記利用者識別情報とを受信した場合には、前記所定の記憶部に当該受信した認証情報と当該受信した利用者識別情報とが対応付けて記憶されているか否かを判定し、対応付けて記憶されていると判定した場合には、当該認証情報に対応する商品識別情報により識別されるコンテンツを前記利用者端末装置に配信する配信手段と
を有することを特徴とする情報配信システム。 
【請求項６】
店頭端末装置と、ＰＯＳ端末と、情報配信装置とを有する情報配信システムであって、
前記店頭端末装置は、
正規にコンテンツが記録された媒体の商品識別に用いられる商品識別情報と、利用者を識別する利用者識別情報とを受け付けて、前記商品識別情報および利用者識別情報を含む画像を出力する出力手段を有し、
前記ＰＯＳ端末は、
前記店頭端末装置の出力手段が出力した画像と、前記媒体の個体識別に用いられる個体識別情報とを受け付け、前記画像に含まれる商品識別情報および利用者識別情報と前記個体識別情報とを前記情報配信装置に送信する送信手段と、
所定の決済処理を実行する決済処理手段とを有し、
前記情報配信装置は、
前記ＰＯＳ端末から前記個体識別情報と、前記商品識別情報と、前記利用者識別情報とを取得する取得手段と、
前記取得手段が取得した個体識別情報を過去に取得したか否かを判別する判別手段と、
前記取得手段が取得した個体識別情報を過去に取得していないと判別した場合に、前記個体識別情報と前記商品識別情報との組ごとに一意な認証情報を生成する生成手段と、
前記生成手段が生成した認証情報を前記ＰＯＳ端末に送信する送信手段と、
前記生成手段が生成した認証情報を前記利用者識別情報と対応付けて所定の記憶部に格納する格納手段と、
利用者端末装置から前記送信手段が前記ＰＯＳ端末に送信した前記認証情報と前記利用者識別情報とを受信した場合には、前記所定の記憶部に当該受信した認証情報と当該受信した利用者識別情報とが対応付けて記憶されているか否かを判定し、対応付けて記憶されていると判定した場合には、当該認証情報に対応する商品識別情報により識別されるコンテンツを前記利用者端末装置に配信する配信手段と
を有することを特徴とする情報配信システム。
【請求項７】
情報配信装置が実行する情報配信方法であって、
所定の決済を行うＰＯＳ端末から、正規にコンテンツが記録された媒体の個体識別に用いられる個体識別情報と、前記媒体の商品識別に用いられる商品識別情報と、利用者を識別する利用者識別情報とを取得する取得工程と、
前記取得工程で取得した個体識別情報を過去に取得したか否かを判別する判別工程と、
前記取得工程で取得した個体識別情報を過去に取得していないと判別した場合に、前記個体識別情報と前記商品識別情報との組ごとに一意な認証情報を生成する生成工程と、
前記生成工程で生成した認証情報を前記ＰＯＳ端末に送信する送信工程と、
前記生成工程で生成した認証情報を前記利用者識別情報と対応付けて所定の記憶部に格納する格納工程と、
端末装置から前記送信手段で前記ＰＯＳ端末に送信した前記認証情報と前記利用者識別情報とを受信した場合には、前記所定の記憶部に当該受信した認証情報と当該受信した利用者識別情報とが対応付けて記憶されているか否かを判定し、対応付けて記憶されていると判定した場合には、当該認証情報に対応する商品識別情報により識別されるコンテンツを前記端末装置に配信する配信工程と
を含んだことを特徴とする情報配信方法。 
【請求項８】
所定の決済を行うＰＯＳ端末から、正規にコンテンツが記録された媒体の個体識別に用いられる個体識別情報と、前記媒体の商品識別に用いられる商品識別情報と、利用者を識別する利用者識別情報とを取得する取得手順と、
前記取得手順で取得した個体識別情報を過去に取得したか否かを判別する判別手順と、
前記取得手順で取得した個体識別情報を過去に取得していないと判別した場合に、前記個体識別情報と前記商品識別情報との組ごとに一意な認証情報を生成する生成手順と、
前記生成手順で生成した認証情報を前記ＰＯＳ端末に送信する送信手順と、
前記生成手順で生成した認証情報を前記利用者識別情報と対応付けて所定の記憶部に格納する格納手順と、
端末装置から前記送信手順で前記ＰＯＳ端末に送信した前記認証情報と前記利用者識別情報とを受信した場合には、前記所定の記憶部に当該受信した認証情報と当該受信した利用者識別情報とが対応付けて記憶されているか否かを判定し、対応付けて記憶されていると判定した場合には、当該認証情報に対応する商品識別情報により識別されるコンテンツを前記端末装置に配信する配信手順と
をコンピュータに実行させることを特徴とする情報配信プログラム。
【発明の詳細な説明】
【技術分野】
【０００１】
本発明は、情報配信装置、情報配信システム、情報配信方法および情報配信プログラムに関する。
【背景技術】
【０００２】
従来、書籍やビデオテープ等の磁気記録媒体、ＣＤ（Compact  Disk）、ＤＶＤ（Digital  Video  Disk）、ＢＤ（Blu-ray  Disc）等の物理的な媒体に様々なコンテンツが記録されて配布されている。また、近年では、音楽コンテンツ、動画コンテンツ、電子書籍コンテンツなど、媒体に記録されていない様々な電子コンテンツがインターネット上で提供されており、ユーザは、スマートフォンやＰＤＡ（Personal  Digital  Assistant）、ＰＣ（Personal  Computer）等の端末装置を用いてこれらの電子コンテンツを視聴することが多くなっている。
【０００３】
また、従来技術として、購入したコンテンツをパッケージメディアや配布方法を問わず享受できるシステムも提案されている。具体的には、コンテンツ保有者は、ユーザが取得要求したコンテンツに対してコンテンツ使用権を与え、ユーザはこの使用権に対して対価を支払う。その後、ユーザは使用権のあるコンテンツの配信要求を行うと、コンテンツ保有者は非圧縮コンテンツを要求時に指定されたデータ形態に変換してユーザに配信する。あるいは、ユーザがオフラインの取得を希望した場合は使用権のあるコンテンツを要求時に指定されたデータ形態に変換して指定の記録媒体に記録した後、ユーザ宛に配送する。
【先行技術文献】
【特許文献】
【０００４】
【特許文献１】特開２００５−０５６２４０号公報
【発明の概要】
【発明が解決しようとする課題】
【０００５】
しかしながら、従来の技術では、コンテンツ使用権を購入しなければデータ配信および媒体によるコンテンツ鑑賞を享受することができない。言い換えれば、従来の技術では、正規にコンテンツが記録された媒体を購入した利用者であっても、同じ内容の電子コンテンツの配信を受けるためには、改めて当該コンテンツの使用権を購入しなければならない。このため、ユーザが媒体購入したコンテンツを気に入った場合でも、同一コンテンツを電子配信により簡易に鑑賞することは難しい。なお、媒体購入したユーザに無条件に電子コンテンツも配布する態様も考えられるが、コンテンツの権利保護を確保することができない。
【０００６】
本願は、上記に鑑みてなされたものであって、コンテンツ媒体を保有する利用者に対して、コンテンツの権利保護を確保しつつ同内容のコンテンツを配信することを目的とする。
【課題を解決するための手段】
【０００７】
本願に係る情報配信装置は、所定の決済を行うＰＯＳ端末から、正規にコンテンツが記録された媒体の個体識別に用いられる個体識別情報と、前記媒体の商品識別に用いられる商品識別情報と、利用者を識別する利用者識別情報とを取得する取得手段と、前記取得手段が取得した個体識別情報を過去に取得したか否かを判別する判別手段と、前記取得手段が取得した個体識別情報を過去に取得していないと判別した場合に、前記個体識別情報と前記商品識別情報との組ごとに一意な認証情報を生成する生成手段と、前記生成手段が生成した認証情報を前記ＰＯＳ端末に送信する送信手段と、前記生成手段が生成した認証情報を前記利用者識別情報と対応付けて所定の記憶部に格納する格納手段と、端末装置から前記送信手段が前記ＰＯＳ端末に送信した前記認証情報と前記利用者識別情報とを受信した場合には、前記所定の記憶部に当該受信した認証情報と当該受信した利用者識別情報とが対応付けて記憶されているか否かを判定し、対応付けて記憶されていると判定した場合には、当該認証情報に対応する商品識別情報により識別されるコンテンツを前記端末装置に配信する配信手段とを有することを特徴とする。
【発明の効果】
【０００８】
実施形態の一態様によればコンテンツ媒体を保有する利用者に対して、コンテンツの権利保護を確保しつつ同内容のコンテンツを配信することができる。
【図面の簡単な説明】
【０００９】
【図１】図１は、実施形態に係る情報配信システムの一例を示す説明図である。
【図２】図２は、実施形態に係る個体識別サーバが有する機能構成の一例を説明する図である。
【図３】図３は、ロット番号記憶部が記憶する情報の一例を説明する図である。
【図４】図４は、実施形態に係る配信サーバが有する機能構成の一例を説明する図である。
【図５】図５は、認証履歴記憶部が記憶する情報の一例を説明する図である。
【図６】図６は、ユーザＩＤ記憶部が記憶する情報の一例を説明する図である。
【図７】図７は、認証情報記憶部が記憶する情報の一例を説明するための図である。
【図８】図８は、実施形態に係る広告配信サーバが有する機能構成の一例を説明する図である。
【図９】図９は、広告記憶部が記憶する情報の一例を説明する図である。
【図１０】図１０は、実施形態に係る情報配信システムが実行する情報配信処理の流れを示すフローチャートである。
【図１１】図１１は、実施形態に係る入力端末が表示する画面の一例を説明する図である。
【図１２】図１２は、認証情報の出力処理の一例を示す図である。
【図１３】図１３は、ログイン時にユーザ端末が表示する画面の一例を示す図である。
【図１４】図１４は、認証情報送信時にユーザ端末が表示する画面の一例を示す図である。
【図１５】図１５は、ユーザ端末の機能の変形例を説明するための図である。
【図１６】図１６は、ユーザ端末が表示する広告情報の一例を説明する図である。
【図１７】図１７は、証明情報を取得する際に入力端末が表示する画面を説明する図である。
【発明を実施するための形態】
【００１０】
以下に、本願に係る情報配信装置、情報配信システム、情報配信方法および情報配信プログラムを実施するための形態（以下、「実施形態」と呼ぶ）について図面を参照しつつ詳細に説明する。なお、この実施形態により本願に係る情報配信装置、情報配信システム、情報配信方法および情報配信プログラムが限定されるものではない。また、以下の各実施形態において同一の部位には同一の符号を付し、重複する説明は省略される。
【００１１】
〔１．情報配信システム〕
まず、図１を用いて、実施形態に係る情報配信システムの一例について説明する。図１は、実施形態に係る情報配信システムの一例を示す説明図である。図１に示す例では、情報配信システム１は、入力端末２、ＰＯＳ（Point  Of  Sale）端末３、決済サーバ４、配信サーバ５、個体識別サーバ６、ユーザ端末７、広告配信サーバ８を有する。ここで、ＰＯＳ端末３、決済サーバ４、配信サーバ５、個体識別サーバ６、広告配信サーバ８は、インターネットやＬＡＮ（Local  Area  Network）やＷＡＮ（Wide  Area  Network）等任意のネットワークを介して接続されている。
【００１２】
まず、図１に示す情報配信システム１では、入力端末２によって、コンテンツの配信権利を利用者が購入するための取引情報の生成が行われる。例えば、図１に示した入力端末２は、コンビニエンスストアや家電量販店等の店頭に設置された端末装置である。また、入力端末２は、利用者の操作に応じて、決済処理に用いられる取引情報の生成を開始する。詳細には、入力端末２は、利用者に対し、利用者を示す利用者ＩＤと、利用者が有する商品の識別を行う商品識別情報の入力を要求する。ここで、商品識別情報として、例えば、購入済の商品のＪＡＮコードの入力を要求しても良い。以下の説明では、情報配信システム１がＪＡＮコードを商品識別情報として利用する例について記載するが、実施形態はこれに限定されるものではない。すなわち、ＪＡＮコードは、商品識別情報の例示であり、情報配信システム１は、他にも利用者が有する商品を識別することができる情報であれば、任意の情報を用いることができる。
【００１３】
そして、入力端末２は、ユーザＩＤとＪＡＮコードとが入力されると、入力されたユーザＩＤとＪＡＮコードとを示す取引情報と、ＪＡＮコードが示す商品に記録されたコンテンツの配信を受ける権利を取得するための対価を示す対価情報とを生成する。その後、入力端末２は、生成した取引情報と対価情報とを出力する。
【００１４】
例えば、図１中（Ａ）に示すように、入力端末２は、ユーザＩＤを取得するとともに、ＪＡＮコードを取得する。すると、入力端末２は、図１中（Ｂ）に示すように、取得したＪＡＮコードが示す商品に記録されたコンテンツの配信を受ける権利を取得するための対価を識別し、識別した対価を示す対価情報をレシートに印刷する。
【００１５】
また、入力端末２は、取得したユーザＩＤとＪＡＮコードとを含んだ取引情報を生成し、図１中（Ｃ）に示すように、生成した取引情報をレシートに印刷する。例えば、入力端末２は、ユーザＩＤとＪＡＮコードとを含むＱＲコード（登録商標）を取引情報としてレシートに印刷する。そして、入力端末２は、対価情報と取引情報とを印刷したレシートを出力する。
【００１６】
ＰＯＳ端末３は、店舗の会計処理を行う端末装置であり、例えば、コンビニエンスストアや家電量販店等に設置された会計処理用の端末装置であり、所定の決済処理を実行する機能を有する。なお、ＰＯＳ端末３は、デスクトップ型ＰＣ、タブレット型ＰＣ、ノート型ＰＣなどの情報処理装置であってもよい。ここで、ＰＯＳ端末３は、入力端末２が出力したレシートを読み取り、読み取ったレシートに印刷された対価情報に従って、所定の決済処理を実行する。
【００１７】
また、ＰＯＳ端末３は、ＰＯＳ端末３の操作を行う店員等に対し、正規にコンテンツが記録された媒体の個体識別に用いられる個体識別情報の入力を要求する。例えば、ＰＯＳ端末３は、個体識別情報として、ロット番号の入力を要求してもよい。以下の例では、情報配信システム１がロット番号を個体識別情報として利用する例について記載するが、実施形態はこれに限定されるものではなく、正規にコンテンツが記録された媒体の固体識別に用いられる情報であれば、任意の情報を用いることができる。また、ＰＯＳ端末３は、ロット番号の入力が行われ、かつ、決済処理が確定した場合には、読み取ったレシートに印刷された取引情報からユーザＩＤとＪＡＮコードとを抽出し、抽出したユーザＩＤとＪＡＮコードと、入力されたロット番号とを配信サーバ５に対して送信する。その後、ＰＯＳ端末３は、配信サーバ５から、ロット番号とＪＡＮコードとの組に対して一意に定まる認証情報を受信する。すると、ＰＯＳ端末３は、受信した認証情報をレシート等に印刷して出力する。
【００１８】
例えば、ＰＯＳ端末３は、「５００円」を示す対価情報の読み取りを行う。そして、ＰＯＳ端末３は、利用者によって「５００円」の支払いが行われた場合には、図１中（Ｄ）に示すように、決済サーバ４に対して支払いが行われた旨を通知することで、決済処理を実行する。その後、決済処理が確定し、決済サーバ４から決済情報を受信した場合には、ＰＯＳ端末３は、店員等に対し、購入済み商品の媒体のロット番号の入力を要求する。そして、ＰＯＳ端末３は、図１中（Ｅ）に示すように、決済サーバ４から決済情報を受信し、かつ、ロット番号が入力された場合には、取引情報からユーザＩＤとＪＡＮコードとを読み出し、図１中（Ｆ）に示すように、読み出したユーザＩＤとＪＡＮコードとロット番号とを配信サーバ５へ送信する。
【００１９】
その後、ＰＯＳ端末３は、配信サーバ５から認証情報として、例えば「ＣＩ＃１」を受信すると、受信した認証情報「ＣＩ＃１」を含むＱＲコード（登録商標）等をレシート等に印刷して出力する。なお、このような認証情報が印刷されたレシートは、コンテンツが記録された媒体、すなわち商品を正規に購入し、入力端末２を用いて取引情報の生成を行った利用者に渡される。
【００２０】
このように、ＰＯＳ端末３は、ＰＯＳ端末３の操作を行う店員等にロット番号の入力等を行わせることで、利用者がロット番号の入力を行う手間を削減するとともに、ロット番号を不正に変更して入力することによる不正な認証の付与を防止することができる。すなわち、悪意のある利用者にロット番号の入力を行わせた場合には、不正に番号を変更することにより、認証情報が不正に付与される恐れがあることから、配信システム１では、コンテンツが記録された媒体の個体識別に用いられる情報を、利用者ではなく、ＰＯＳ端末３の操作者が行うことで、利便性を低下させることなく、不正な認証情報の付与を防止することができる。
【００２１】
なお、ＰＯＳ端末３において、認証情報が発行された商品の媒体に対しては、例えば、認証情報が発行済みである旨を示すスタンプ等、任意の識別情報を付与してもよい。このように、認証情報が発行された媒体に対し、スタンプ等の識別情報を付与した場合には、認証情報を付与する際の媒体の使いまわしを防止し、認証情報の不正な発行を防止することができる。また、後述するように、決済サーバ４がクレジットカードを利用した決済を行う場合には、ＰＯＳ端末３は、利用者のクレジットカード情報を読み出し、対価情報とクレジットカード情報とを決済サーバ４に送信することで、決済処理を実行してもよい。また、ＰＯＳ端末３は、決済サーバ４が電子マネー等を用いた決済を行う場合には、対価情報を送信し、決済情報を受信することで、決済処理を行ってもよい。
【００２２】
決済サーバ４は、決済処理を行う情報処理装置である。例えば、決済サーバ４は、ＰＳＯ端末３から、支払いが行われた旨の通知を受信すると、売り上げ情報として記録するとともに、決済情報をＰＯＳ端末３に通知する。なお、決済サーバ４は、現金による決済処理だけではなく、例えばクレジットカード等を用いた決済処理を行ってもよい。例えば、決済サーバ４は、ＰＯＳ端末３から対価情報と、利用者のクレジットカード情報とを取得し、取得したクレジットカード情報を用いて、取得した対価情報が示す対価額の決済を実行し、販売を確定させる。その後、決済サーバ４は、ＰＯＳ端末３に対して決済情報を送信してもよい。
【００２３】
このように、情報配信システム１においては、決済処理を実行するＰＯＳ端末３、および決済サーバ４を有する。このため、情報配信システム１においては、認証情報を発行する際に実行する決済処理の様態を、柔軟に変更することができる。例えば、決済サーバ４は、ＰＯＳ端末３との間で行われる決済処理だけではなく、電子マネーやクレジットカードを用いた決済、その他任意の決済処理を採用し、決済が確定した際に、ＰＯＳ端末３や配信サーバ５に通知を行えばよい。
【００２４】
配信サーバ５は、ＰＯＳ端末３から、ユーザＩＤと、ＪＡＮコードと、ロット番号とを受信する。すると、配信サーバ５は、図１中（Ｇ）に示すように、受信したロット番号を個体識別サーバ６に送信し、認証処理を依頼する。すなわち、配信サーバ５は、受信したロット番号が正規商品のロット番号であるか否かの判別を依頼する。
【００２５】
そして、配信サーバ５は、図１中（Ｈ）に示すように、ロット番号が正規商品のロット番号である旨を個体識別サーバ６から受信すると、受信したロット番号を過去に受信したか否かを判別し、過去に受信していない場合には、以下の処理を実行する。まず、配信サーバ５は、ＰＯＳ端末３から受信したＪＡＮコードとロット番号との組から一意に定まる認証情報を生成し、生成した認証情報を受信したユーザＩＤと対応付けて記憶する。そして、配信サーバ５は、図１中（Ｉ）に示すように、生成した認証情報をＰＯＳ端末３へ送信する。すなわち、配信サーバ５は、購入済コンテンツを記憶する媒体が正規商品であり、かつ、まだ認証情報が発行されていない媒体である場合には、新たな認証情報を購入済み商品に付与する。
【００２６】
この結果、配信サーバ５は、正規商品である媒体と一対一に対応する認証情報を発行することができる。例えば、配信サーバ５は、通常版パッケージと特別版パッケージ等、利用者が同一のコンテンツを含む正規商品の媒体を複数有する場合には、各媒体それぞれに認証情報を付与することとなる。このように、配信サーバ５は、正規商品である媒体と一対一に対応する認証情報を発行することで、利用者の利便性を保持しつつも、コンテンツの権利を強固に保護することができる。
【００２７】
すなわち、１つの媒体に対して複数の認証情報を認めた場合には、媒体の複製等を行い、複製された各媒体に対してそれぞれ異なる認証情報が付与されうるので、不正にコンテンツの配信を受けうる状態が生じてしまう。しかしながら、配信サーバ５は、正規商品である媒体と一対一に対応する認証情報を発行し、複製された媒体に対し認証情報の付与を行わないので、不正なコンテンツの配信を防止し、コンテンツの権利を保護することができる。
【００２８】
なお、従来の技術では、正規にコンテンツが記録された媒体を購入した利用者であっても、同じ内容の電子コンテンツの配信を受けるためには、改めて当該コンテンツの使用権を購入しなければ、同じ内容の電子コンテンツの配信を受けることができないので、既に購入した商品のコンテンツと同一のコンテンツをユーザ端末に配信させて容易に鑑賞することができない。一方、配信サーバ５は、正規商品である媒体と一対一に対応する認証情報を発行し、ユーザ端末７から認証情報を受信した場合は、コンテンツの配信を行うので、コンテンツの権利保護を担保しつつ利用者が容易にコンテンツの配信を受けることができる。
【００２９】
なお、配信サーバ５は、ロット番号が正規商品のロット番号ではない旨の通知を受信した場合は、ＰＯＳ端末３に対し、認証が正常に行われなかった旨を通知する。すなわち、配信サーバ５は、受信したロット番号が正規商品のロット番号ではない場合や、受信したロット番号と同一のロット番号を受信した履歴が存在する場合には、海賊版や不正な複製商品等に基づく認証が求められていると判別する。そして、配信サーバ５は、ＰＯＳ端末３に対し、認証が正常に行われなかった旨を通知する。
【００３０】
このような場合には、ＰＯＳ端末３は、認証情報の出力を行わず、認証を行うことができない旨をレシート等に印刷し、出力する。なお、配信サーバ５は、販売が確定する前にＰＯＳ端末３からユーザＩＤとＪＡＮコードとを受信する場合には、決済サーバ４に問い合わせを行い、販売が確定した旨を確認した後で認証情報の生成を行ってもよい。
【００３１】
また、配信サーバ５は、ユーザ端末７から認証情報とユーザＩＤとを受信した場合には、受信した認証情報とユーザＩＤとを対応付けて記憶しているか否かを判別する。そして、配信サーバ５は、受信した認証情報とユーザＩＤとを対応付けて記憶している場合は、認証情報と対応するＪＡＮコードが示すコンテンツをユーザ端末７に対して配信する。また、配信サーバ５は、配信サーバ５がユーザ端末７に対して配信したコンテンツの履歴に係る情報を広告配信サーバ８に通知する。
【００３２】
このように、配信サーバ５は、認証情報とユーザＩＤとを対応付けて記憶し、ユーザ端末７から受信した認証情報とユーザＩＤとを記憶しているか否かに応じて、コンテンツの配信を行う。このため、配信サーバ５は、認証情報を付与した媒体の所有者である利用者からの配信要求のみに対し、コンテンツの配信を行うことができるので、コンテンツをより効果的に保護しつつ、媒体の所有者に対し、マルチデバイスに対応したコンテンツの配信を行うことができる。
【００３３】
個体識別サーバ６は、配信サーバ５から受信したロット番号を受信した履歴が存在するか否かを判別する。例えば、個体識別サーバ６は、正規商品のロット番号をあらかじめ記憶する。そして、個体識別サーバ６は、配信サーバ５からロット番号を受信すると、受信したロット番号が正規商品のロット番号であるかを判別し、判別結果を配信サーバ５に通知する。このように、個体識別サーバ６は、正規商品のロット番号と、認証情報を発行する媒体のロット番号とを比較するので、正規商品の媒体に対してのみ認証情報を発行させることができる。なお、個体識別サーバ６は、例えば配信対象となるコンテンツの権利を有するコンテンツホルダが管理するサーバであり、コンテンツホルダが配信を望むコンテンツが記録された媒体のロット番号のみを記憶することで、配信形態やコンテンツの権利を容易にコントロールすることができる。
【００３４】
ユーザ端末７は、配信サーバ５に対してユーザＩＤと認証情報とを送信することで、認証情報と対応するコンテンツの配信を受け付ける。例えば、ユーザ端末７には、図１中（Ｊ）に示すように、ＰＯＳ端末３がレシート等に印刷して出力した認証情報と、利用者のユーザＩＤとが利用者によって入力される。このような場合には、ユーザ端末７は、図１中（Ｋ）に示すように、認証情報とユーザＩＤとを配信サーバ５に送信する。なお、ユーザ端末７は、例えば、スマートフォンやＰＤＡ、タブレット端末、ノートパソコン、ＰＣ等任意の端末装置を採用することができる。
【００３５】
ここで、配信サーバ５は、正規商品を所有する利用者のユーザＩＤとともに、正規商品の媒体に対して付与した認証情報を対応付けて記憶している。このため、配信サーバ５は、ユーザ端末７から受信した認証情報とユーザＩＤとを対応付けて記憶している場合には、ユーザ端末７の利用者が、配信されるコンテンツが記録された媒体を有する正当な利用者であると判別する。
【００３６】
そして、配信サーバ５は、図１中（Ｌ）に示すように、ユーザ端末７に対してコンテンツの配信を行う。この結果、ユーザ端末７は、利用者がコンテンツを記憶した媒体の正当な利用者である場合には、対価を支払うことにより、配信サーバ５からコンテンツの配信を受けることができる。
【００３７】
広告配信サーバ８は、配信サーバ５がユーザ端末７に対して配信したコンテンツの履歴に基づいて、広告情報をユーザ端末７に配信する。例えば、広告配信サーバ８は、図１中（Ｍ）に示すように、所定の時間ごとに、ユーザＩＤごとに配信したコンテンツの履歴を配信サーバ５に要求し、ユーザＩＤごとに、配信したコンテンツの履歴を配信サーバ５から取得する。
【００３８】
また、ユーザ端末７は、図示しないウェブサーバに対してアクセスし、ＨＴＭＬ（Hyper  Text  Markup  Language）やクッキー等によってユーザＩＤを広告配信サーバ８へ送信する旨の命令が含まれるウェブページを取得する。そして、ユーザ端末７は、取得したウェブページに含まれる命令に従い、広告配信サーバ８にユーザＩＤを送信する。
【００３９】
このような場合には、広告配信サーバ８は、ユーザ端末７から受信したユーザＩＤに対応するコンテンツの履歴を識別し、識別した履歴に応じた広告情報をユーザ端末７に配信する。この結果、ユーザ端末７は、図１中（Ｎ）に示すように、広告配信サーバ８から広告情報を受信し、受信した広告情報を表示する。このように、広告配信サーバ８は、利用者が視聴したコンテンツの履歴に応じて広告情報を配信するので、ユーザ端末７に効果的な広告情報を表示させることができる。なお、コンテンツの履歴に基づく広告情報とは、当該コンテンツと直接的に関連のある広告情報だけではなく、例えば、利用者が視聴したコンテンツを視聴した他の利用者がよく選択した広告情報等、間接的に関連のある広告情報も含まれる。
【００４０】
なお、ユーザ端末７は、配信サーバ５に対してユーザＩＤと認証情報とを送信する前に、配信サーバ５に対するログイン処理を実行してもよい。例えば、ユーザ端末７は、ユーザＩＤとパスワードとを配信サーバ５に対して送信し、ログイン処理を実行する。その後、ユーザ端末７は、ログインが正常に行われた後に、ユーザＩＤと認証情報とを送信してもよい。
【００４１】
〔２．個体識別サーバの機能構成〕
次に、図２を用いて、実施形態に係る個体識別サーバ６の機能構成について説明する。図２は、実施形態に係る個体識別サーバが有する機能構成の一例を説明する図である。図２に示すように、固体識別サーバ６は、ロット番号記憶部１１、受信部１２、識別部１３、送信部１４を有する。
【００４２】
ロット番号記憶部１１は、コンテンツが記録された媒体のうち、正規商品に付与されたロット番号を記憶する。例えば、図３は、ロット番号記憶部が記憶する情報の一例を説明する図である。図３に示すように、ロット番号記憶部１１は、ＪＡＮコードとロット番号とを対応付けて記憶する。すなわち、ロット番号記憶部１１は、コンテンツごとに、コンンツが記録された媒体のうち、正規商品に付与されたロット番号を記憶する。
【００４３】
例えば、図３に示す例では、ロット番号記憶部１１は、ＪＡＮコード「ＪＡＮ＃１」とロット番号「０００００１〜９９９９９９」とを対応付けて記憶する、すなわち、ロット番号記憶部１１は、ＪＡＮコード「ＪＡＮ＃１」が示すコンテンツが記録された媒体のうち、ロット番号が「０００００１〜９９９９９９」である媒体が正規商品である旨を記憶している。
【００４４】
また、ロット番号記憶部１１は、ＪＡＮコード「ＪＡＮ＃２」とロット番号「０００００１〜４９９９９９」とを対応付けて記憶する、すなわち、ロット番号記憶部１１は、ＪＡＮコード「ＪＡＮ＃２」が示すコンテンツが記録された媒体のうち、ロット番号が「０００００１〜４９９９９９」である媒体が正規商品である旨を記憶している。
【００４５】
また、ロット番号記憶部１１は、ＪＡＮコード「ＪＡＮ＃３」とロット番号「５０００００〜９９９９９９」とを対応付けて記憶する、すなわち、ロット番号記憶部１１は、ＪＡＮコード「ＪＡＮ＃３」が示すコンテンツが記録された媒体のうち、ロット番号が「５０００００〜９９９９９９」である媒体が正規商品である旨を記憶している。
【００４６】
図２に戻って、受信部１２は、配信サーバ５からＪＡＮコードとロット番号とを受信する。すると、受信部１２は、受信したＪＡＮコードとロット番号とを識別部１３に出力する。
【００４７】
識別部１３は、受信部１２からＪＡＮコードとロット番号とを受信すると、受信したＪＡＮコードとロット番号との組がロット番号記憶部１１に記憶されているか否かを判別する。そして、識別部１３は、受信したＪＡＮコードとロット番号との組がロット番号記憶部１１に記憶されている場合には、ロット番号が正規商品のロット番号である旨の通知を送信部１４に出力する。一方判別部１３は、受信したＪＡＮコードとロット番号との組がロット番号記憶部１１に記憶されてない場合には、ロット番号が正規商品のロット番号ではない旨の通知を送信部１４に出力する。なお、送信部１４は、ロット番号が正規商品のロット番号である旨の通知、または、ロット番号が正規商品のロット番号ではない旨の通知を配信サーバ５に対して送信する。
【００４８】
〔３．配信サーバの機能構成〕
次に、図４を用いて、配信サーバ５が有する機能構成について説明する。図４は、実施形態に係る配信サーバが有する機能構成の一例を説明する図である。図４に示す例では、配信サーバ５は、認証履歴記憶部１５、ユーザＩＤ記憶部１６、認証情報記憶部１７、コンテンツデータベース（ＤＢ）１８、識別情報受信部１９、判別部２０、認証情報生成部２１、発行部２２、登録部２３を有する。また、配信サーバ５は、認証部２４、認証情報判定部２５、配信部２６、履歴通知部２７を有する。
【００４９】
認証履歴記憶部１５は、認証情報が付与された媒体のロット番号、すなわち、配信サーバ５から過去に受信したロット番号の履歴を記憶する。例えば、図５は、認証履歴記憶部が記憶する情報の一例を説明する図である。図５に示すように、認証履歴記憶部１５は、認証済みロット番号、すなわち、配信サーバ５が過去に受信し、認証が行われた媒体のロット番号とＪＡＮコードとを対応付けて記憶する。
【００５０】
例えば、図５に示す例では、認証履歴記憶部１５は、ＪＡＮコード「ＪＡＮ＃１」と認証済みロット番号「５０００００」とを対応付けて記憶する。すなわち、認証履歴記憶部１５は、ＪＡＮコード「ＪＡＮ＃１」が示すコンテンツが記録された媒体のうち、ロット番号が「５０００００」の媒体について、既に認証情報を付与した履歴を記憶する。
【００５１】
また、認証履歴記憶部１５は、ＪＡＮコード「ＪＡＮ＃２」と認証済みロット番号「５００００１」とを対応付けて記憶する。すなわち、認証履歴記憶部１５は、ＪＡＮコード「ＪＡＮ＃２」が示すコンテンツが記録された媒体のうち、ロット番号が「５００００１」の媒体について、既に認証情報を付与した履歴を記憶する。
【００５２】
また、認証履歴記憶部１５は、ＪＡＮコード「ＪＡＮ＃３」と認証済みロット番号「５９６１０３」とを対応付けて記憶する。すなわち、認証履歴記憶部１５は、ＪＡＮコード「ＪＡＮ＃３」が示すコンテンツが記録された媒体のうち、ロット番号が「５９６１０３」の媒体について、既に認証情報を付与した履歴を記憶する。
【００５３】
ユーザＩＤ記憶部１６は、ユーザＩＤごとに、配信が許可されているコンテンツを示すＪＡＮコードと、コンテンツが記憶された媒体ごとに付与されるコンテンツＩＤとを記憶する。ここで、同一のコンテンツが記憶された媒体であっても、物理的に異なる媒体に対しては、異なる値のコンテンツＩＤが付与される。すなわち、コンテンツＩＤとは、コンテンツの配信を認証した媒体とコンテンツの組ごとに付与される識別子である。
【００５４】
例えば、図６は、ユーザＩＤ記憶部が記憶する情報の一例を説明する図である。図６に示す例では、ユーザＩＤ記憶部１６は、ユーザＩＤ「Ｕ０００１」と、コンテンツＩＤ「ＣＩＤ＃１」とＪＡＮコード「ＪＡＮ＃１」とを対応付けて記憶する。すなわち、ユーザＩＤ記憶部１６は、ユーザＩＤ「Ｕ０００１」が示す利用者が有する媒体についてコンテンツＩＤ「ＣＩＤ＃１」が付与されている旨を示す。また、ユーザＩＤ記憶部１６は、コンテンツＩＤ「ＣＩＤ＃１」が付与された媒体には、ＪＡＮコード「ＪＡＮ＃１」が示すコンテンツが記録されている旨を示す。
【００５５】
また、ユーザＩＤ記憶部１６は、ユーザＩＤ「Ｕ０００２」が示す利用者の媒体にコンテンツＩＤ「ＣＩＤ＃３」が付与されており、この媒体にＪＡＮコード「ＪＡＮ＃３」が示すコンテンツが記憶されている旨を示す。また、ユーザＩＤ記憶部１６は、ユーザＩＤ「Ｕ０００３」が示す利用者の媒体にコンテンツＩＤ「ＣＩＤ＃４」が付与されており、この媒体にＪＡＮコード「ＪＡＮ＃４」が示すコンテンツが記憶されている旨を示す。
【００５６】
図４に戻って、認証情報記憶部１７は、コンテンツＩＤごと、すなわち、コンテンツが記録された媒体ごとに付与された認証情報を記憶する。例えば、図７は、認証情報記憶部が記憶する情報の一例を説明するための図である。図７に示すように、認証情報記憶部１７は、コンテンツＩＤと認証情報とを対応付けて記憶する。例えば、認証情報記憶部１７は、コンテンツＩＤ「ＣＩＤ＃１」と認証情報「ＣＩ＃１」とを対応付けて記憶する。すなわち、認証情報記憶部１７は、コンテンツＩＤ「ＣＩＤ＃１」が示す媒体に認証情報「ＣＩ＃１」が付与されている旨を示す。
【００５７】
同様に、認証情報記憶部１７は、コンテンツＩＤ「ＣＩＤ＃２」が示す媒体に認証情報「ＣＩ＃２」が付与されている旨を示し、コンテンツＩＤ「ＣＩＤ＃３」が示す媒体に認証情報「ＣＩ＃３」が付与されている旨を示す。また、認証情報記憶部１７は、コンテンツＩＤ「ＣＩＤ＃４」が示す媒体に認証情報「ＣＩ＃４」が付与されている旨を示す。
【００５８】
図４に戻って、コンテンツＤＢ１８は、ユーザ端末７に対して配信するコンテンツのデータを記憶するデータベースである。例えば、コンテンツＤＢ１８は、各コンテンツと、各コンテンツを示すＪＡＮコードとを対応付けて記憶している。
【００５９】
識別情報受信部１９は、ＰＯＳ端末３が送信したユーザＩＤとＪＡＮコードとロット番号とを受信する。このような場合には、識別情報受信部１９は、受信したユーザＩＤとＪＡＮコードとロット番号とを判別部２０に出力する。
【００６０】
判別部２０は、ＰＯＳ端末３から受信したロット番号を過去に受信した履歴が存在するか否かを判別する。具体的には、判別部２０は、識別情報受信部１９からユーザＩＤとＪＡＮコードとロット番号とを受信すると、受信したＪＡＮコードとロット番号との組を個体識別サーバ６に対して送信し、認証を依頼する。
【００６１】
そして、判別部２０は、ロット番号が正規商品のロット番号である旨の通知を個体識別サーバ６から受信すると、認証履歴記憶部１５にアクセスし、認証情報受信部１９から受信したＪＡＮコードとロット番号との組が記憶されているか否かを判別する。その後、判別部２０は、認証情報受信部１９から受信したＪＡＮコードとロット番号との組が記憶されていない場合は、識別情報受信部１９から受信したユーザＩＤとＪＡＮコードとロット番号とを認証情報生成部２１に出力し、認証情報の生成を認証情報生成部２１に依頼する。一方、判別部２０は、ロット番号が正規商品のロット番号ではない旨の通知を個体識別サーバ６から受信した場合、または、認証情報受信部１９から受信したＪＡＮコードとロット番号との組が認証履歴記憶部１５に記憶されていない場合は、認証が正常に行なえなかった旨を発行部２２に通知する。
【００６２】
例えば、判別部２０は、ユーザＩＤ「Ｕ０００１」、ＪＡＮコード「ＪＡＮ＃１」、ロット番号「０００００１」を受信する。このような場合には、判別部２０は、ＪＡＮコード「ＪＡＮ＃１」とロット番号「０００００１」を個体識別サーバ６に送信する。ここで、個体識別サーバ６は、ＪＡＮコード「ＪＡＮ＃１」とロット番号「０００００１」との組がロット番号記憶部１１に記憶されているので、ロット番号が正規商品のロット番号である旨を判別部２０に通知する。
【００６３】
すると、判別部２０は、ＪＡＮコード「ＪＡＮ＃１」とロット番号「０００００１」との組が認証履歴記憶部１５に記憶されているかいなかを判別し、ＪＡＮコード「ＪＡＮ＃１」とロット番号「０００００１」の組が記憶されていない場合には、認証情報の生成を認証情報生成部２１に依頼する。すなわち、判別部２０は、コンテンツが記録された正規な媒体であって、また認証情報が発行されていない媒体に対し、新たな認証情報の付与を依頼する。なお、判別部２０は、認証情報の生成を依頼するとともに、ＪＡＮコード「ＪＡＮ＃１」とロット番号「０００００１」との組を認証履歴情報記憶部１５に格納する。
【００６４】
一方、例えば、判別部２０は、ユーザＩＤ「Ｕ０００１」、ＪＡＮコード「ＪＡＮ＃１」、ロット番号「５０００００」を受信した場合には、ＪＡＮコード「ＪＡＮ＃１」とロット番号「５０００００」との組み合わせが正規商品の媒体を示すものの、既に認証履歴記憶部１５に格納されていると判別する。この結果、判別部２０は、認証が正常に行えなかった旨の通知を発行部２２に出力する。
【００６５】
認証情報生成部２１は、判別部２０からユーザＩＤとＪＡＮコードとロット番号とを受信する。そして、認証情報生成部２１は、認証情報の生成を依頼された場合には、受信したＪＡＮコードとロット番号との組ごとに一意な認証情報を生成する。そして、認証情報生成部２１は、生成した認証情報を発行部２２に出力するとともに、判別部２０から受信したユーザＩＤとＪＡＮコードと生成した認証情報とを登録部２３に出力する。
【００６６】
発行部２２は、認証情報生成部２１から認証情報を受信すると、受信した認証情報をＰＯＳ端末３に送信する。すなわち、発行部２２は、コンテンツが記録された正規な媒体であって、まだ認証情報が発行されていない媒体に対し、新たな認証情報を発行する。一方、発行部２２は、判別部２０から、認証が正常に行えなかった旨の通知を受信すると、認証が正常に行えなかった旨の通知をＰＯＳ端末３に送信する。
【００６７】
登録部２３は、認証情報生成部２１が生成した認証情報とユーザＩＤとＪＡＮコードとを受信すると、認証情報ごとに新たなコンテンツＩＤを生成し、ユーザＩＤとコンテンツＩＤとＪＡＮコードとをユーザＩＤ記憶部１６に格納する。また、登録部２３は、生成したコンテンツＩＤと認証情報とを認証情報記憶部１７に格納する。つまり、登録部２３は、認証情報とユーザＩＤとコンテンツとの紐付けを行う。
【００６８】
認証部２４は、ユーザ端末７のログイン処理を実行する。例えば、認証部２４は、配信サーバ５からコンテンツの配信を受けることができる利用者のユーザＩＤとパスワードとを対応付けて記憶する。また、認証部２４は、ユーザ端末７からユーザＩＤとパスワードとを受信すると、受信したユーザＩＤとパスワードを確認してログイン認証を行う。そして、認証部２４は、ユーザ端末７のログイン認証が正常に行われた場合には、ユーザ端末７に認証情報の送信を要求する。その後、認証部２４は、ユーザ端末７から認証情報を受信すると、受信した認証情報とユーザＩＤとを認証情報判定部２５に出力する。
【００６９】
認証情報判定部２５は、ユーザ端末７から受信した認証情報とユーザＩＤとの組をユーザＩＤ記憶部１６、および認証情報記憶部１７が対応付けて記憶しているか否かを判別する。具体的には、認証情報判定部２５は、認証部２４から認証情報とユーザＩＤとを受信すると、受信した認証情報と対応付けられたコンテンツＩＤを認証情報記憶部１７から抽出する。そして、認証情報判定部２５は、抽出したコンテンツＩＤと受信したユーザＩＤとの組がユーザＩＤ記憶部１６に記憶されているか否かを判別する。
【００７０】
その後、認証情報判定部２５は、抽出したコンテンツＩＤと受信したユーザＩＤとの組がユーザＩＤ記憶部１６に記憶されている場合は、抽出したコンテンツＩＤと受信したユーザＩＤとの組に対応付けられたＪＡＮコードを配信部２６に出力する。一方、認証情報判定部２５は、受信した認証情報が認証情報記憶部１７に記憶されていない場合や、認証情報と対応付けられたコンテンツＩＤが、受信したユーザＩＤとユーザＩＤ記憶部１６に記憶されていない場合は、認証が正常に行えなかった旨の通知を配信部２６に出力する。
【００７１】
以下、認証情報判定部２５の処理の一例を説明する。なお、以下の説明では、ユーザＩＤ記憶部１６が図６に示す情報を記憶し、認証情報記憶部１７が図７に示す情報を記憶しているものとする。例えば、認証情報判定部２５は、認証情報「ＣＩ＃１」とユーザＩＤ「Ｕ０００１」とを受信した場合には、認証情報「ＣＩ＃１」と対応付けられたコンテンツＩＤ「ＣＩＤ＃１」を認証情報記憶部１７から抽出する。
【００７２】
また、認証情報判定部２５は、抽出したコンテンツＩＤ「ＣＩＤ＃１」とユーザＩＤ「Ｕ０００１」との組がユーザＩＤ記憶部１６に記憶されていると判別する。そして、認証情報判定部２５は、コンテンツＩＤ「ＣＩＤ＃１」とユーザＩＤ「Ｕ０００１」との組に対応付けられたＪＡＮコード「ＪＡＮ＃１」を抽出し、ＪＡＮコード「ＪＡＮ＃１」を配信部２６に出力する。
【００７３】
一方、認証情報判定部２５は、認証情報「ＣＩ＃３」とユーザＩＤ「Ｕ０００１」とを受信した場合には、認証情報「ＣＩ＃３」と対応付けられたコンテンツＩＤ「ＣＩＤ＃３」を認証情報記憶部１７から抽出する。しかし、コンテンツＩＤ「ＣＩＤ＃３」とユーザＩＤ「Ｕ０００１」との組がユーザＩＤ記憶部１６に記憶されていないので、認証情報判定部２５は、認証が正常に行えなかった旨の通知を配信部２６に出力する。
【００７４】
配信部２６は、認証情報判定部２５からＪＡＮコードを受信すると、受信したＪＡＮコードが示すコンテンツのデータをコンテンツＤＢ１８から読み出し、読み出したデータをユーザ端末７に送信する。また、配信部２６は、認証情報判定部２５から認証が正常に行えなかった旨の通知を受信した場合には、認証が正常に行えなかった旨をユーザ端末７に通知する。なお、配信部２６がデータを配信する様態としては、ユーザ端末７にデータをダウンロードさせる様態や、ストリーミング送信等の手法が考えられる。
【００７５】
履歴通知部２７は、配信部２６が配信したデータのＪＡＮコードと、配信部２６がデータを配信した利用者のユーザＩＤとを対応付けて取得し、取得したＪＡＮコードとユーザＩＤとを対応付けて保持する。例えば、履歴通知部２７は、認証情報判定部２５から配信部２６を介し、ＪＡＮコードとユーザＩＤとを取得して保持する。そして、履歴通知部２７は、広告配信サーバ８から配信履歴の要求を受信すると、保持したＪＡＮコードとユーザＩＤとを広告配信サーバ８へ送信する。すなわち、履歴通知部２７は、各利用者が視聴したコンテンツの履歴を広告配信サーバ８へ送信する。
【００７６】
〔４．広告配信サーバの機能構成〕
次に、図８を用いて、広告配信サーバ８の機能構成について説明する。図８は、実施形態に係る広告配信サーバが有する機能構成の一例を説明する図である。図８に示す例では、広告配信サーバ８は、広告記憶部２８、履歴取得部２９、ウェブリクエスト受信部３０、ユーザ情報取得部３１、広告取得部３２、広告配信部３３を有する。
【００７７】
広告記憶部２８は、ＪＡＮコードと、ＪＡＮコードが示すコンテンツに関係がある広告情報とを対応付けて記憶する。例えば、広告記憶部２８は、図９に示すように、広告情報とＪＡＮコードとを対応付けて記憶する。図９は、広告記憶部が記憶する情報の一例を説明する図である。例えば、図９に示すように、広告記憶部２８は、広告情報「ＡＤ＃１」とＪＡＮコード「ＪＡＮ＃１」、広告情報「ＡＤ＃２」とＪＡＮコード「ＪＡＮ＃２」、広告情報「ＡＤ＃３」とＪＡＮコード「ＪＡＮ＃３」、広告情報「ＡＤ＃４」とＪＡＮコード「ＪＡＮ＃４」、とを対応付けて記憶する。
【００７８】
図８に戻って、履歴取得部２９は、所定のタイミングで、配信サーバ５に対し、配信履歴の要求を送信する。例えば、履歴取得部２９は、所定の時間間隔で配信サーバ５に対し、配信履歴の要求を送信する。そして、履歴取得部２９は、配信サーバ５からＪＡＮコードとユーザＩＤとの組、すなわち各利用者が視聴したコンテンツの履歴を受信すると、受信した履歴を保持する。
【００７９】
そして、履歴取得部２９は、ユーザ情報取得部３１からユーザＩＤを受信すると、受信したユーザＩＤと対応付けられたＪＡＮコード、すなわち受信したユーザＩＤが示す利用者が視聴したコンテンツの履歴をユーザ情報取得部３１に出力する。
【００８０】
ウェブリクエスト受信部３０は、ユーザ端末７からウェブリクエストを受信すると、受信したリクエストを解析し、ユーザ端末７を使用している利用者のユーザＩＤを抽出する。そして、ウェブリクエスト受信部３０は、抽出したユーザＩＤをユーザ情報取得部３１に出力する。
【００８１】
例えば、ユーザ端末７は、図示しないウェブサーバから、広告配信サーバ８にユーザＩＤを含むウェブリクエストの送信指示が含まれるウェブページのデータを取得する。すると、ユーザ端末７は、ウェブページをレンダリングする際に、ユーザＩＤを含むウェブリクエストを広告配信サーバ８に送信する。このような場合には、ウェブリクエスト受信部３０は、受信したウェブリクエストからユーザＩＤを抽出し、抽出したユーザＩＤをユーザ情報取得部３１に出力する。
【００８２】
ユーザ情報取得部３１は、ウェブリクエスト受信部３０が受信したユーザＩＤが示す利用者がコンテンツを視聴した履歴を取得する。具体的には、ユーザ情報取得部３１は、ウェブリクエスト受信部３０からユーザＩＤを受信すると、取得したユーザＩＤを履歴取得部２９に出力し、受信したユーザＩＤが示す利用者の視聴履歴を示すＪＡＮコードを受信する。そして、ユーザ情報取得部３１は、受信したＪＡＮコードを広告取得部３２に出力する。
【００８３】
広告取得部３２は、ユーザ情報取得部３１からＪＡＮコードを受信すると、ＪＡＮコードと対応付けられた広告情報を広告記憶部２８から取得し、取得した広告情報を広告配信部３３に出力する。例えば、広告取得部３２は、ユーザ情報取得部３１からＪＡＮコード「ＪＡＮ＃１」を受信すると、ＪＡＮコード「ＪＡＮ＃１」と対応付けられた広告情報「ＡＤ＃１」を広告記憶部２８から抽出する。そして、広告取得部３２は、広告情報「ＡＤ＃１」を広告配信部３３に出力する。
【００８４】
広告配信部３３は、広告取得部３２から受信した広告情報をユーザ端末７に送信する。すなわち、広告配信部３３は、広告取得部３２は、ユーザ端末７の利用者が視聴したコンテンツの履歴に応じた広告情報を、ユーザ端末７に送信する。
【００８５】
〔５．配信処理手順〕
次に、図１０を用いて、実施形態に係る情報配信システム１の情報配信処理の手順について説明する。図１０は、実施形態に係る情報配信システムが実行する情報配信処理の流れを示すフローチャートである。
【００８６】
まず、図１０に示すように、入力端末２は、ユーザＩＤとＪＡＮコードとの入力を受け付ける（ステップＳ１０１）、そして、入力端末２は、対価情報と、取引情報とを出力する（ステップＳ１０２）。
【００８７】
ここで、図１１は、実施形態に係る入力端末が表示する画面の一例を説明する図である。例えば、入力端末２は、図１１中（Ｏ）に示すように、情報配信システムの画面を表示する。また、入力端末２は、ユーザＩＤの入力を求めるとともに、図１１中（Ｐ）に示すようなバーコード読み取り装置にＪＡＮコードをかざすよう促すメッセージを表示することで、ＪＡＮコードの入力を要求する。
【００８８】
そして、入力端末２は、ユーザＩＤとＪＡＮコードとが入力された場合には、図１２中（Ｑ）に示すように、対価情報と取引情報とが印刷されたレシートを出力する。例えば、図１２中（Ｑ）に示すように、入力端末２は、ＰＯＳ端末３において決済を行うための対価を示すバーコードを対価情報として印刷し、ユーザＩＤとＪＡＮコードとの情報を含んだＱＲコード（登録商標）を取引情報として印刷したレシートを出力する。
【００８９】
なお、利用者が情報配信システム１のシステム利用者として登録されていない場合には、入力端末２は、図１１に示す画面に先駆けて、利用者の登録画面を表示してもよい。このような登録画面においては、例えば、ユーザＩＤとパスワードとの入力を要求し、入力されたユーザＩＤとパスワードとは、認証部２４が実行するログイン処理に用いられることとなる。
【００９０】
図１０に戻り、ＰＯＳ端末３は、ステップＳ１０２にて出力された対価情報と取引情報とが入力されると、店員等の操作を行うものに対してロット番号の入力を要求する（ステップＳ１０３）。そして、ＰＯＳ端末３は、ロット番号が入力されると、決済処理を実行するため、対価情報を決済サーバ４に送信する（ステップＳ１０４）。すると、決済サーバ４は、ＰＯＳ端末３を介した入金やクレジットカードの決済情報等による決済確認後に決済情報をＰＯＳ端末３に送信する（ステップＳ１０５）。
【００９１】
次に、ＰＯＳ端末３は、ユーザＩＤ、ＪＡＮコード、ロット番号を配信サーバ５に送信する（ステップＳ１０６）。このような場合には、配信サーバ５は、ロット番号とＪＡＮコードとを用いて購入済み商品の認証、すなわち、利用者が有する媒体の認証を個体識別サーバ６に依頼する（ステップＳ１０７）。また、個体識別サーバ６は、ロット番号とＪＡＮコードとを用いて正規商品か否かの認証を行う（ステップＳ１０８）。
【００９２】
続いて、配信サーバ５は、正規商品か否かの認証が正常に行われると、受信したＪＡＮコードとロット番号との組に対して一意に定まる認証情報が未発行であるか否かを判別する（ステップＳ１０９）。そして、配信サーバ５は、受信したＪＡＮコードとロット番号との組に対して一意に定まる認証情報が未発行である場合には、認証情報を生成し（ステップＳ１１０）、認証情報をＰＯＳ端末３に送信する（ステップＳ１１１）。また、配信サーバ５は、認証情報とユーザＩＤとを対応付けて記憶する（ステップＳ１１２）。なお、配信サーバ５は、ステップＳ１１０とステップＳ１１１の処理を逆の順に実行してもよい。
【００９３】
一方、ＰＯＳ端末３は、認証情報を受信すると、受信した認証情報を出力する（ステップＳ１１３）。例えば、ＰＯＳ端末３は、図１２に示すように、認証情報を含むＱＲコード（登録商標）が印刷されたレシートを出力する。なお、図１２は、認証情報の出力処理の一例を示す図である。図１０に戻り、ユーザ端末７は、ステップＳ１１２にて出力された認証情報が入力されると、配信サーバ５に対するログインを行い、認証情報とユーザＩＤとを配信サーバ５に送信する（ステップＳ１１４）。
【００９４】
なお、ユーザ端末７に認証情報を入力する処理としては、例えば、図１２に例示したＱＲコード（登録商標）をユーザ端末７が撮像し、撮像したＱＲコード（登録商標）から認証情報を抽出する処理などが考えられる。
【００９５】
また、図１３は、ログイン時にユーザ端末が表示する画面の一例を示す図である。例えば、ユーザ端末７は、図１３中（Ｒ）に示すように、ユーザＩＤとパスワードとの入力を求める。そして、ユーザ端末７は、「ログイン」ボタンの押し下げ（タッチ）が行われると、ユーザＩＤとパスワードとを配信サーバ５に送信し、ログインを行う。
【００９６】
また、図１４は、認証情報送信時にユーザ端末が表示する画面の一例を示す図である。例えば、ユーザ端末７は、図１４中（Ｓ）に示すように、ログインしたユーザが視聴可能なコンテンツの表示を行う。詳細には、ユーザ端末７は、ログイン後に配信サーバ５からユーザＩＤと対応付けられたコンテンツＩＤを取得し、取得したコンテンツＩＤが示すコンテンツを表示することで実現される。そして、ユーザ端末７は、図１４中（Ｔ）に示すように、選択されたユーザＩＤと対応する認証情報の入力を求め、認証情報が入力された後に「視聴する！」ボタンが押し下げ（タッチ）されることにより、認証情報を配信サーバ５へ送信する。
【００９７】
図１０に戻り、配信サーバ５は、ユーザ端末７から認証情報とユーザＩＤとを受信すると、受信した認証情報とユーザＩＤとを対応付けて記憶しているか否かを判別する（ステップＳ１１５）。そして、配信サーバ５は、受信した認証情報とユーザＩＤとを対応付けて記憶している場合は、認証情報に対応するコンテンツをユーザ端末７に配信する（ステップＳ１１６）。
【００９８】
〔６．変形例〕
上述した実施形態に係る情報配信システム１は、上記実施形態以外にも種々の異なる形態にて実施されてよい。そこで、以下では、上記の情報配信システム１の他の実施形態について説明する。
【００９９】
〔６−１．入力端末２について〕
上記実施形態において、ＰＯＳ端末３は、入力端末２が出力した対価情報と取引情報とを読み取っていた。しかしながら、実施形態はこれに限定されるものではなく、例えば、ユーザ端末７に入力端末２の機能を担保させてもよい。
【０１００】
例えば、図１５は、ユーザ端末の機能の変形例を説明するための図である。例えば、ユーザ端末７は、配布されたアプリケーションの機能等により、ユーザＩＤの入力と、利用者が有する媒体のＪＡＮコードとの読み取りを行う。そして、ユーザ端末７は、入力されたユーザＩＤと入力されたＪＡＮコードとを用いて、対価情報と取引情報とを表示する。その後、ユーザ端末７が表示した対価情報と取引情報とをＰＯＳ端末３が読み取ることによって、入力端末２の機能を担保させてもよい。
【０１０１】
〔６−２．広告情報について〕
例えば、図１６は、ユーザ端末が表示する広告情報の一例を説明する図である。例えば、ユーザ端末７は、表示フレーム内に広告情報の表示フレームを有するウェブページを取得する。ここで、広告情報の表示フレームには、ユーザＩＤを広告配信サーバ８に送信し、取得した広告情報を表示するよう指示するスクリプト等が格納されている。このような場合には、ユーザ端末７は、広告配信サーバ８にユーザＩＤを送信し、広告配信サーバ８から受信した広告情報、すなわち、ユーザ端末７の利用者が閲覧したコンテンツの履歴に応じた広告情報を指定された広告情報の表示フレーム内に表示する。この結果、例えば、ユーザ端末７は、利用者が現在興味を有するコンテンツに応じた広告情報を表示することができる。
【０１０２】
〔６−３．個体識別サーバ６が利用する情報について〕
上記実施形態において、個体識別サーバ６は、ＪＡＮコードとロット番号とを用いて、利用者が有する媒体の認証を行った。しかし、実施形態はこれに限定されるものではない。例えば、個体識別サーバ６は、コンテンツごとにロット番号が重複する恐れがない場合には、ロット番号のみを用いて、利用者が有する媒体が正当に購入されたものであり、かつ、認証情報が発行されていないものであるか否かを判別してもよい。
【０１０３】
また、個体識別サーバ６は、コンテンツの保護をさらに強化するため、コンテンツが記録された媒体ごとに取得される情報を利用してもよい。例えば、個体識別サーバ６は、媒体に記録されたコンテンツから得られるアナログ情報を証明情報として利用してもよい。
【０１０４】
以下、個体識別サーバ６が証明情報を用いて媒体の認証を行う処理について説明する。図１７は、証明情報を取得する際に入力端末が表示する画面を説明する図である。なお、以下の説明では、認証対象となる媒体がＣＤ、ＤＶＤ、ＢＤ等の光学媒体であるものとする。
【０１０５】
例えば、図１７中（Ｕ）に示すように、入力端末２は、ＪＡＮコードの入力時に、光学媒体の挿入を要求する。そして、入力装置２は、光学媒体が挿入されると、挿入された光学媒体のうち、所定の位置に記録された情報の読み出しを行う。ここで、通常の読み出し処理においては、ＣＤ、ＤＶＤ、ＢＤ等、デジタル情報を示す物理的なビットが記録された光学媒体の読み出しを行う際には、閾値処理等により、読み出したアナログ情報がデジタル情報に変換される。
【０１０６】
しかしながら、本実施形態に係る入力装置２は、読み出したアナログ信号を用いた証明情報を生成する。例えば、入力装置２は、読み出したアナログ信号と、閾値処理によって読み出されるデジタル信号等理想的な信号波形との差分を示す情報を証明情報とする。ここで、このようなアナログ信号を用いた証明情報は、光学媒体の利用状態によって変化するため、媒体ごとに異なる値となる。
【０１０７】
その後、入力装置２は、ＪＡＮコードとロット番号とともに証明情報を配信サーバ５に送信する。一方、配信サーバ５は、認証履歴記憶部１５に、過去に受信したＪＡＮコードとロット番号と証明情報との組を格納する。そして、受信したＪＡＮコードとロット番号との組から媒体が正規商品である旨を個体識別サーバ６から通知されると、受信したＪＡＮコードとロット番号と証明情報との組が認証履歴記憶部１５に格納されているか否かに基づいて、利用者の媒体に認証情報がすでに発行されたか否かを判別する。そして、配信サーバ５は、受信したＪＡＮコードとロット番号と証明情報との組を記憶していない場合は、認証情報を生成するとともに、受信したＪＡＮコードとロット番号と証明情報との組を認証履歴記憶部１５に格納する。なお、書籍におけるインクのにじみ等を読み取り、読み取った情報に基づいて証明情報を生成してもよい。
【０１０８】
〔６−４．その他〕
また、上記実施形態において、個体識別サーバ６の機能は、配信サーバ５が有してもよい。すなわち、個体識別サーバ６のように、正規商品のロット番号を管理するサーバは、通常コンテンツの権利者が有するサーバであり、コンテンツの配信を行うサーバとは個別のサーバである。しかしながら、上記実施形態は、個体識別サーバ６の機能と配信サーバ５の機能とを分離させる必要はなく、１つのサーバにまとめてもよい。
【０１０９】
また、上記実施形態において、配信サーバ５は、ユーザＩＤ記憶部１６と認証情報記憶部１７とを有していた。しかし、実施形態は、これに限定されるものではなく、例えば、配信サーバ５は、ユーザＩＤとコンテンツＩＤとＪＡＮコードと認証情報とを対応付けて、１つの記憶装置に格納してもよい。
【０１１０】
また、上述した決済サーバ４、配信サーバ５、個体識別サーバ６広告配信サーバ８の機能は、いわゆるクラウドの機能を用いて、複数のサーバ装置によって実現されることとしてもよい。例えば、配信サーバ５が有する識別情報受信部１９、判別部２０、認証情報生成部２１、発行部２２、登録部２３、認証部２４、認証情報判定部２５、配信部２６、履歴通知部２７が発揮する機能は、それぞれ異なるサーバ装置によって実現されてもよい。また、各部１９〜２７が発揮する機能は、任意の態様で結合、分離が可能である。
【０１１１】
また、上記実施形態では、ユーザ端末７がスマートフォン等の端末である場合を例に挙げて説明した。しかし、上記のユーザ端末７は、各種情報を表示できる表示処理装置であれば、スマートフォン等の携帯端末以外にも適用することができる。例えば、ユーザ端末７は、タブレット型ＰＣ、ノート型ＰＣ、デスクトップ型ＰＣ、ＰＤＡ（Personal  Digital  Assistant）等であってもよい。また、ユーザ端末７は、デジタルサイネージや、デジタル放送対応のテレビであってもよい。また、ＰＯＳ端末３は、例示した決済処理だけではなく、単独で、あるいは決済サーバ４と連携して、任意の方式の決済処理を実行することができる。
【０１１２】
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【０１１３】
例えば、各図に示した各種情報は、図示した情報に限られない。また、例えば、各図に示したＱＲコード（登録商標）やバーコードは、これに限定されるものではなく、例えば、通常の文字列であってもよい。また、利用者識別情報としてユーザＩＤを利用し、商品識別情報としてＪＡＮコード利用し、個体識別情報としてロット番号を利用するのは、あくまで一例であり、情報配信システム１は、利用者識別情報、商品識別情報、または個体識別情報として利用可能な任意の情報を用いることができる。
【０１１４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。また、各構成要素が発揮する機能は、ＣＰＵ（Central  Processing  Unit）が所定の情報配信プログラムを実行することで発揮することとしてもよい。
【０１１５】
〔７．効果〕
上述してきたように、実施形態に係る配信サーバ５は、ロット番号と、ＪＡＮコードとユーザＩＤとを取得し、取得したロット番号を過去に取得したか否かを判別する。そして、配信サーバ５は、取得したロット番号を過去に取得していない場合には、ロット番号とＪＡＮコードとの組ごとに一意な認証情報を生成し、生成した認証情報をユーザＩＤと対応付けて記憶する。そして、配信サーバ５は、ユーザ端末７から受信したユーザＩＤと認証情報とを対応付けて記憶している場合には、認証情報に対応するＪＡＮコードが示すコンテンツをユーザ端末７に送信する。
【０１１６】
このため、配信サーバ５は、コンテンツが記録された媒体を購入した利用者に対し、コンテンツの権利保護を確保しつつ購入済みの商品に記録されたコンテンツと同じ内容の電子コンテンツを配信することができる。すなわち、配信サーバ５は、すでに認証情報を発行した媒体に対しては、複製品等不正な媒体であるとみなし、認証情報を発行しない。一方、配信サーバ５は、まだ認証情報が発行されていない媒体に対しては、認証情報を発行するので、正規な媒体を有する利用者に対して、コンテンツの配信を行うことができる。
【０１１７】
すなわち、配信サーバ５は、正規商品である媒体と一対一に対応する認証情報を発行すし、利用者が同一のコンテンツを含む正規商品の媒体を複数有する場合にも、各媒体それぞれに認証情報を付与することとなる。この結果、配信サーバ５は、正規商品である媒体と一対一に対応する認証情報を発行することで、コンテンツの権利を強固に保護することができる。また、配信サーバ５は、正規商品である媒体と一対一に対応する認証情報を発行し、ユーザ端末７から認証情報を受信した場合は、コンテンツの配信を行うので、コンテンツの権利保護を担保しつつ利用者が容易にコンテンツの配信を受けることができる。
【０１１８】
また、個体識別サーバ６は、媒体固有のアナログ情報を用いて生成された証明情報と、ロット番号との組み合わせが過去に取得した履歴がない組み合わせであるか否かを判別する。このため、個体識別サーバ６は、例えばロット番号を変更する等の不正な認証に対する認証情報の発行を防止することができる。
【０１１９】
また、配信サーバ５は、ユーザ端末７に対するコンテンツの配信履歴に係る情報を広告配信サーバ８に対して提供する。このため、情報配信システム１は、ユーザ端末７に対して、利用者が閲覧したコンテンツに関係する広告情報を表示させることができる。
【０１２０】
また、個体識別サーバ６は、ロット番号を用いて、利用者が有する媒体が正規商品であるか否かをさらに判別する。このため、個体識別サーバ６は、正規商品ではない媒体やＰＯＳ端末３に入力されたロット番号が不正に変更されていた際に、認証情報の発行を防ぐことができる。
【０１２１】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１２２】
また、特許請求の範囲に記載した「手段」は、「部（section、module、unit）」や「回路」などに読み替えることができる。例えば、取得手段は、取得部や取得回路に読み替えることができる。
【符号の説明】
【０１２３】
１  情報配信システム
２  入力端末
３  ＰＯＳ端末
４  決済サーバ
５  配信サーバ
６  個体識別サーバ
７  ユーザ端末
８  広告配信サーバ
１１  ロット番号記憶部
１２  受信部
１３  識別部
１４  送信部
１５  認証履歴記憶部
１６  ユーザＩＤ記憶部
１７  認証情報記憶部
１８  コンテンツＤＢ
１９  識別情報受信部
２０  判別部
２１  認証情報生成部
２２  発行部
２３  登録部
２４  認証部
２５  認証情報判定部
２６  配信部
２７  履歴通知部
２８  広告記憶部
２９  履歴取得部
３０  ウェブリクエスト受信部
３１  ユーザ情報取得部
３２  広告取得部
３３  広告配信部
【図１】
0005620968.tif 000002
【図２】
0005620968.tif 000003
【図３】
0005620968.tif 000004
【図４】
0005620968.tif 000005
【図５】
0005620968.tif 000006
【図６】
0005620968.tif 000007
【図７】
0005620968.tif 000008
【図８】
0005620968.tif 000009
【図９】
0005620968.tif 000010
【図１０】
0005620968.tif 000011
【図１１】
0005620968.tif 000012
【図１２】
0005620968.tif 000013
【図１３】
0005620968.tif 000014
【図１４】
0005620968.tif 000015
【図１５】
0005620968.tif 000016
【図１６】
0005620968.tif 000017
【図１７】
0005620968.tif 000018